(57)【要約】【課題】小型化可能な撮像装置を提供する。【解決手段】デジタルカメラ１は、プリント基板５５と、第１及び第２鏡筒５１，５２と、第１及び第２リジッドフレキシブル基板２００ａ，２００ｂと、を備える。第１及び第２リジッドフレキシブル基板２００ａ，２００ｂそれぞれは、フレキシブル部２１０と、リジッド部２２０と、電子回路部２３０と、を有する。電子回路部２３０の一部は、プリント基板５５の基板後面５５Ｔよりも前方に配置されている。【選択図】図９
2013179574.tif 000002
【特許請求の範囲】
【請求項１】
前面と、後面と、前記後面上に配置される第１及び第２コネクタと、を有する平板状のプリント基板と、
前記プリント基板の前記前面側に配置され、第１撮像素子を有する第１鏡筒と、
前記プリント基板の前記前面側に配置され、第２撮像素子を有する第２鏡筒と、
前記第１撮像素子と前記第１コネクタとに連結される第１リジッドフレキシブル基板と、
前記第２撮像素子と前記第２コネクタとに連結される第２リジッドフレキシブル基板と、を備え、
前記第１リジッドフレキシブル基板は、前記第１撮像素子と前記第１コネクタとに接続される第１フレキシブル部と、前記第１鏡筒の後方に配置される第１リジッド部と、前記第１リジッド部に支持される第１電子回路部と、を有し、
前記第２リジッドフレキシブル基板は、前記第２撮像素子と前記第２コネクタとに接続される第２フレキシブル部と、前記第２鏡筒の後方に配置される第２リジッド部と、前記第２リジッド部に支持される第２電子回路部と、を有し、
前記第１フレキシブル部及び前記第１電子回路部の少なくとも一方のうちの少なくとも一部は、前記プリント基板の前記後面よりも前方に配置され、
前記第２フレキシブル部及び前記第２電子回路部の少なくとも一方のうちの少なくとも一部は、前記プリント基板の前記後面よりも前方に配置されている、
撮像装置。
【請求項２】
前記第１及び第２撮像素子は、前記後面に対して略垂直に配置され、
前記第１及び第２リジッド部それぞれは、前記後面と略平行に配置されている、
請求項１に記載の撮像装置。
【請求項３】
前記プリント基板は、切り欠き部を有し、
前記第１及び第２リジッド部それぞれは、前記後面の平面視において、前記切り欠き部内に配置されている、
請求項１又は２に記載の撮像装置。
【請求項４】
前記第１リジッドフレキシブル基板は、前記第２リジッドフレキシブル基板と同じ形状の部材である、
請求項１乃至３のいずれかに記載の撮像装置。
【発明の詳細な説明】
【技術分野】
【０００１】
本発明は、撮像素子とプリント基板を備える撮像装置に関する。
【背景技術】
【０００２】
特許文献１では、鏡筒の下端に配置される撮像素子と、鏡筒の側面に沿って配置されるプリント基板と、撮像素子とプリント基板とに連結されるフレキシブル基板と、を備える撮像装置が開示されている。
【先行技術文献】
【特許文献】
【０００３】
【特許文献１】特開２００９−１４７４７７号公報
【発明の概要】
【発明が解決しようとする課題】
【０００４】
しかしながら、特許文献１の撮像装置では、鏡筒の側面に沿って配置されたプリント基板上にフレキシブル基板のコネクタが配置されているので、撮像装置の幅方向におけるサイズが大きくなってしまう。また、鏡筒の後面に沿ってプリント基板を配置すれば、撮像装置の前後方向におけるサイズが大きくなってしまう。
【０００５】
ここに開示される技術は、上述の状況に鑑みてなされたものであり、小型化可能な撮像装置を提供することを目的とする。
【課題を解決するための手段】
【０００６】
ここに開示される撮像装置は、前面と、後面と、後面上に配置される第１及び第２コネクタと、を有する平板状のプリント基板と、プリント基板の前面側に配置され、第１撮像素子を有する第１鏡筒と、プリント基板の前面側に配置され、第２撮像素子を有する第２鏡筒と、第１撮像素子と第１コネクタとに連結される第１リジッドフレキシブル基板と、第２撮像素子と第２コネクタとに連結される第２リジッドフレキシブル基板と、を備える。第１リジッドフレキシブル基板は、第１撮像素子と第１コネクタとに接続される第１フレキシブル部と、第１鏡筒の後方に配置される第１リジッド部と、第１リジッド部に支持される第１電子回路部と、を有する。第２リジッドフレキシブル基板は、第２撮像素子と第２コネクタとに接続される第２フレキシブル部と、第２鏡筒の後方に配置される第２リジッド部と、第２リジッド部に支持される第２電子回路部と、を有する。第１フレキシブル部及び第１電子回路部の少なくとも一方のうちの少なくとも一部は、プリント基板の後面よりも前方に配置されている。第２フレキシブル部及び第２電子回路部の少なくとも一方のうちの少なくとも一部は、プリント基板の後面よりも前方に配置されている。
【発明の効果】
【０００７】
本発明によれば、小型化可能な撮像装置を提供する。
【図面の簡単な説明】
【０００８】
【図１】デジタルカメラの前方斜視図
【図２】デジタルカメラの後方斜視図
【図３】デジタルカメラの前方分解斜視図
【図４】フレームアッセンブリの前方分解斜視図
【図５】フレームアッセンブリの後方分解斜視図
【図６】第１リジッドフレキシブル基板の前方斜視図
【図７】第１リジッドフレキシブル基板の後方斜視図
【図８】第１及び第２リジッドフレキシブル基板の背面図
【図９】図８のＡ−Ａ断面図の一例
【図１０】図８のＡ−Ａ断面図の一例
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。
【００１１】
（デジタルカメラ１の全体構成）
実施形態に係るデジタルカメラ１の全体構成について、図面を参照しながら説明する。図１は、デジタルカメラ１の前方斜視図である。図２は、デジタルカメラ１の後方斜視図である。図３は、デジタルカメラ１の前方分解斜視図である。なお、図３では、モニタ３０が省略されている。
【００１２】
デジタルカメラ１は、筐体１０と、スライドカバー２０と、モニタ３０と、フレームプレート４０と、フレームアッセンブリ５０と、を備える。
筐体１０は、前板１１、後板１２、上板１３及び側板１４によって構成されている。前板１１は、フレームアッセンブリ５０の前方に配置される。後板１２は、フレームプレート４０の後方に配置される。後板１２には、モニタ３０を嵌め込むためのモニタ用開口１２Ｓが形成されている。上板１３は、フレームアッセンブリ５０の上方に配置される。側板１４は、フレームアッセンブリ５０の右方に配置される。
【００１３】
スライドカバー２０は、上下方向に沿ってスライドするように、前板１１に取り付けられている。スライドカバー２０が上方にスライドされると、後述する第１及び第２鏡筒５１，５２は閉状態となり、スライドカバー２０が下方にスライドされると、第１及び第２鏡筒５１，５２は開状態となる。
【００１４】
モニタ３０は、後板１２のモニタ用開口１２Ｓに嵌め込まれる。フレームプレート４０は、モニタ３０の内面を支持し、フレームアッセンブリ５０の後方を覆っている。
フレームアッセンブリ５０は、前板１１とフレームプレート４０の間に配置される。フレームアッセンブリ５０は、第１及び第２鏡筒５１，５２を有する。第１鏡筒５１は、第１前レンズ５１ａを含む屈曲光学系Ｐ（図１〜３において不図示、図９参照）を内蔵している。第２鏡筒５２は、第２前レンズ５２ａを含む屈曲光学系（不図示、屈曲光学系Ｐと同構成）を内蔵している。スライドカバー２０が下方にスライドされて第１及び第２鏡筒５１，５２が開状態となった場合、第１及び第２前レンズ５１ａ，５２ａは、前板１１の開口部（不図示）から露出する。
【００１５】
（フレームアッセンブリ５０の構成）
次に、フレームアッセンブリ５０の構成について、図面を参照しながら説明する。図４は、フレームアッセンブリ５０の前方分解斜視図である。図５は、フレームアッセンブリ５０の後方分解斜視図である。
【００１６】
フレームアッセンブリ５０は、上述した第１及び第２鏡筒５１，５２のほか、支持板５３と、樹脂フレーム５４と、プリント基板５５と、第１フレキシブル基板１００ａと、第１リジッドフレキシブル基板２００ａと、第２フレキシブル基板１００ｂと、第２リジッドフレキシブル基板２００ｂと、を有する。
【００１７】
第１及び第２鏡筒５１，５２は、上下方向に沿ってそれぞれ配置され、左右に並べられている。第１及び第２鏡筒５１，５２は、支持板５３の前面に固定されている。
第１鏡筒５１は、第１前レンズ５１ａと第１撮像素子５１ｂとを有する。第１前レンズ５１ａは、屈曲光学系Ｐ（図９参照）のうち最も被写体側に配置されるレンズである。第１前レンズ５１ａは、被写体からの光を第１鏡筒５１内部に取り込む。第１撮像素子５１ｂは、屈曲光学系Ｐの下方に配置されている。第１撮像素子５１ｂとしては、Ｃ−ＭＯＳセンサが好適に用いられるが、これに限らずＣＣＤなどを用いることができる。
【００１８】
第２鏡筒５２は、第２前レンズ５２ａと第２撮像素子５２ｂとを有する。第２前レンズ５２ａは、屈曲光学系Ｐのうち最も被写体側に配置されるレンズである。第２前レンズ５２ａは、被写体からの光を第２鏡筒５２内部に取り込む。第２撮像素子５２ｂは、屈曲光学系Ｐの下方に配置されている。第２撮像素子５２ｂとしては、Ｃ−ＭＯＳセンサが好適に用いられるが、これに限らずＣＣＤなどを用いることができる。
【００１９】
支持板５３は、平板状に形成された板金部材である。支持板５３は、第１及び第２鏡筒５１，５２とプリント基板５５の間に配置され、第１及び第２鏡筒５１，５２を支持している。支持板５３は、第１乃至第３ビスＢ１〜Ｂ３によって樹脂フレーム５４に固定される。また、支持板５３には、第４及び第５ビスＢ４，Ｂ５によって第１及び第２リジッドフレキシブル基板２００ａ，２００ｂが固定される。
【００２０】
樹脂フレーム５４は、第１収容部５４ａと、第２収容部５４ｂと、第１乃至第３ボスｃ１〜ｃ３と、を有する。第１及び第２収容部５４ａ，５４ｂには、第１及び第２鏡筒５１，５２が収容される。第１乃至第３ボスｃ１〜ｃ３には、第１乃至第３ビスＢ１〜Ｂ３が挿入される。
【００２１】
プリント基板５５は、集積回路５５ａと、第１上側コネクタ５５ｂ１と、第１下側コネクタ５５ｃ１と、第２上側コネクタ５５ｂ２と、第２下側コネクタ５５ｃ２と、を有する。
集積回路５５ａは、プリント基板５５の基板前面５５Ｓ上に配置され、支持板５３と対向する。集積回路５５ａは、第１及び第２フレキシブル基板１００ａ，１００ｂを介して、制御信号を第１及び第２鏡筒５１，５２に伝達する。集積回路５５ａは、第１及び第２リジッドフレキシブル基板２００ａ，２００ｂを介して、画像信号を第１及び第２撮像素子５１ｄ，５２ｄから取得する。集積回路５５ａは、取得した画像信号に処理を施すことによって、例えばモニタ３０に画像を表示したり、画像データを記憶したりする。
第１及び第２上側コネクタ５５ｂ１，５５ｂ２と第１及び第２下側コネクタ５５ｃ１，５５ｃ２は、プリント基板５５の基板後面５５Ｔ上に配置される。第１及び第２上側コネクタ５５ｂ１，５５ｂ２は、第１及び第２下側コネクタ５５ｃ１，５５ｃ２の上方に配置されている。なお、これら４つのコネクタは、集積回路５５ａの周りにバランス良く配置されている（図８参照）。すなわち、平面透視した場合、４つのコネクタそれぞれと集積回路５５ａとの間隔はおおよそ同じである。
また、図４に示すように、プリント基板５５は、集積回路５５ａの下方に形成された切り欠き部Ｔを有する。そのため、プリント基板５５は、全体として略Ｌ字状の平面形状を有している。
【００２２】
第１フレキシブル基板１００ａは、第１鏡筒５１の屈曲光学系Ｐ（図９参照）を制御するための信号を屈曲光学系Ｐに伝達する。第１フレキシブル基板１００ａは、第１鏡筒５１の上端に連結され、プリント基板５５の後面に沿うように略９０°折り返されている。第１フレキシブル基板１００ａの一端は、プリント基板５５上の第１上側コネクタ５５ｂ１に固定される。
【００２３】
第１リジッドフレキシブル基板２００ａは、第１撮像素子５１ｂから出力される画像信号を集積回路５５ａに伝達する。第１リジッドフレキシブル基板２００ａは、第１鏡筒５１の下端に連結され、プリント基板５５の後面に沿うように略９０°折り返されている。第１リジッドフレキシブル基板２００ａの一端は、プリント基板５５上の第１下側コネクタ５５ｃ１に固定される。
【００２４】
第２フレキシブル基板１００ｂは、第２鏡筒５２の屈曲光学系を制御するための信号を屈曲光学系に伝達する。第２フレキシブル基板１００ｂは、第２鏡筒５２の上端に連結され、プリント基板５５の後面に沿うように略９０°折り返されている。第２フレキシブル基板１００ｂの一端は、プリント基板５５上の第２上側コネクタ５５ｂ２に固定される。
【００２５】
第２リジッドフレキシブル基板２００ｂは、第２撮像素子５２ｂから出力される画像信号を集積回路５５ａに伝達する。第２リジッドフレキシブル基板２００ｂは、第２鏡筒５２の下端に連結され、プリント基板５５の後面に沿うように略９０°折り返されている。第２リジッドフレキシブル基板２００ｂの一端は、プリント基板５５上の第２下側コネクタ５５ｃ２に固定される。
【００２６】
なお、第１フレキシブル基板１００ａは、第２フレキシブル基板１００ｂと同じ形状の部材であり、第１リジッドフレキシブル基板２００ａは、第２リジッドフレキシブル基板２００ｂと同じ形状の部材である。
【００２７】
（第１及び第２リジッドフレキシブル基板２００ａ，２００ｂの構成）
次に、第１及び第２リジッドフレキシブル基板２００ａ，２００ｂの構成について、図面を参照しながら説明する。
【００２８】
図６は、第１リジッドフレキシブル基板２００ａの前方斜視図である。図７は、第１リジッドフレキシブル基板２００ａの後方斜視図である。なお、第１及び第２リジッドフレキシブル基板２００ａ，２００ｂは互いに同じ構成を有しているので、以下においては、第１リジッドフレキシブル基板２００ａの構成について主に説明する。
【００２９】
第１リジッドフレキシブル基板２００ａは、図６及び図７に示すように、フレキシブル部２１０と、リジッド部２２０と、電子回路部２３０と、一対のビス穴Ｈ１，Ｈ２と、を有する。
【００３０】
フレキシブル部２１０は、例えばポリイミド樹脂などによって構成され、可撓性を有するフィルム状に成形されている。フレキシブル部２１０は、第１部分２１０ａと、第２部分２１０ｂと、曲折部２１０ｃと、を有する。第１部分２１０ａは、第１撮像素子５１ｂと平行に配置され、第１撮像素子５１ｂの下面に接続されている。第２部分２１０ｂは、第１部分２１０ａに対して略垂直に配置されている。第２部分２１０ｂは、第１下側コネクタ５５ｃ１に差し込まれる上端２０１を含んでいる。曲折部２１０ｃは、略９０°折り曲げられており、第１部分２１０ａと第２部分２１０ｂとを連結している。
【００３１】
リジッド部２２０は、例えばガラスエポキシ樹脂などによって構成され、板状に成形されている。リジッド部２２０は、フレキシブル部２１０のうち第２部分２１０ｂの後面に貼り付けられている。従って、リジッド部２２０は、フレキシブル部２１０の第１部分２１０ａに対して略垂直に配置されている。
【００３２】
ここで、図８は、第１及び第２リジッドフレキシブル基板２００ａ，２００ｂがプリント基板５５に接続された状態を示す背面図である。ただし、図８では、支持板５３が省略されている。図８に示すように、リジッド部２２０は、基板後面５５Ｔの平面視においてプリント基板５５に形成された切り欠き部Ｔ内に配置されている。具体的には、第１及び第２リジッドフレキシブル基板２００ａ，２００ｂが有する一対のリジッド部２２０が、切り欠き部Ｔ内で左右に並べられている。このように、本実施形態では、Ｌ字状のプリント基板５５の切り欠き部Ｔに一対のリジッド部２２０が嵌め合わされるように配置されることによって、プリント基板５５と一対のリジッド部２２０とが全体として横長矩形の範囲内に収められている。
【００３３】
電子回路部２３０は、フレキシブル部２１０のうち第２部分２１０ｂの前面に固定されている。電子回路部２３０は、第２部分２１０ｂを挟んでリジッド部２２０の反対側に配置され、リジッド部２２０によって支持されている。電子回路部２３０は、第１撮像素子５１ｂから出力される画像信号にＡ/Ｄ変換処理などの信号処理を施す。
【００３４】
一対のビス穴Ｈ１，Ｈ２は、フレキシブル部２１０の第２部分２１０ｂとリジッド部２２０とを貫通している。一対のビス穴Ｈ１，Ｈ２には、第１リジッドフレキシブル基板２００ａを支持板５３に固定するための第４及び第５ビスＢ４，Ｂ５（図５参照）が挿通される。
【００３５】
ここで、図９は、図８のＡ−Ａ断面図である。図９に示すように、リジッド部２２０及び電子回路部２３０は、第１鏡筒５１の下端部後方に配置されている。また、リジッド部２２０及び電子回路部２３０は、上下方向において、プリント基板５５の下端と第１撮像素子５１ｂとの間に配置されている。また、電子回路部２３０の一部は、プリント基板５５の基板後面５５Ｔよりも前方に配置されている。すなわち、電子回路部２３０の一部は、基板後面５５Ｔを通る基準線Ｌよりも第１鏡筒５１側に配置されている。なお、本実施形態では、電子回路部２３０の一部のみが基準線Ｌよりも前方に配置されているので、電子回路部２３０と基準線Ｌとが重なっているが、電子回路部２３０の全部が基準線Ｌよりも前方に配置されるのであれば、電子回路部２３０は基準線Ｌと重ならない。
【００３６】
（作用及び効果）
（１）本実施形態に係るデジタルカメラ１は、プリント基板５５と、第１及び第２鏡筒５１，５２と、第１及び第２リジッドフレキシブル基板２００ａ，２００ｂと、を備える。第１及び第２リジッドフレキシブル基板２００ａ，２００ｂそれぞれは、フレキシブル部２１０と、リジッド部２２０と、電子回路部２３０と、を有する。電子回路部２３０の
一部は、プリント基板５５の基板後面５５Ｔ（後面の一例）よりも前方に配置されている。
【００３７】
従って、電子回路部２３０が基板後面５５Ｔよりも後方に配置されている場合に比べて、前後方向における電子回路部２３０と第１鏡筒５１との間に形成されるスペースを小さくすることができる。そのため、デジタルカメラ１の前後方向における厚みを薄くすることができる。
【００３８】
（２）第１及び第２撮像素子５１ｂ，５２ｂは、基板後面５５Ｔに対して略垂直に配置されている。リジッド部２２０は、基板後面５５Ｔと略平行に配置されている。
従って、リジッド部２２０を第１撮像素子５１ｂや第２撮像素子５２ｂの下方で平行に配置する場合に比べて、デジタルカメラ１の上下方向における高さを小さくすることができる。
【００３９】
（３）プリント基板５５は、切り欠き部Ｔを有する。第１及び第２リジッドフレキシブル基板２００ａ，２００ｂそれぞれのリジッド部２２０は、基板後面５５Ｔの平面視において、切り欠き部Ｔ内に配置されている。
従って、プリント基板５５と一対のリジッド部２２０とを組み合わせることによって、
両者をコンパクトに配置することができる。
【００４０】
（４）第１リジッドフレキシブル基板２００ａは、第２リジッドフレキシブル基板２００ｂと同じ形状の部材である。そのため、第１及び第２リジッドフレキシブル基板２００ａ，２００ｂを互いに左右対称な外形に形成する場合に比べて、製造コストを削減することができる。
【００４１】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００４２】
（Ａ）上記実施形態では、デジタルカメラ１が２つの鏡筒を有する場合について説明したが、これに限られるものではない。デジタルカメラ１は、３つ以上の鏡筒を有していてもよい。
【００４３】
（Ｂ）上記実施形態では、リジッド部２２０がフレキシブル部２１０の後面に貼り付けられることとしたが、これに限られるものではない。図１０に示すように、リジッド部２２０がフレキシブル部２１０の前面に貼り付けられていてもよい。この場合には、電子回路部２３０及びフレキシブル部２１０の少なくとも一方の少なくとも一部が基板後面５５Ｔよりも前方に配置されていればよい。
【００４４】
（Ｃ）上記実施形態において、フレームアッセンブリ５０は、支持板５３を備えることとしたが、これに限られるものではない。フレームアッセンブリ５０は、支持板５３を備えていなくてもよい。この場合、第１及び第２鏡筒５１，５２は、樹脂フレーム５４などによって支持されていればよい。
【００４５】
（Ｄ）上記実施形態において、第１及び第２リジッドフレキシブル基板２００ａ，２００ｂは、第４及び第５ビスＢ４，Ｂ５によって支持板５３に固定されることとしたが、これに限られるものではない。第１及び第２リジッドフレキシブル基板２００ａ，２００ｂは、支持板５３に固定されていなくてもよい。
【００４６】
（Ｅ）上記実施形態では、「撮像装置」の一例としてデジタルカメラ１を挙げて説明したが、これに限られるものではない。「撮像装置」としては、ビデオカメラ、携帯電話、ＩＣレコーダーなどが挙げられる。
【００４７】
このように、本発明はここでは記載していない様々な実施形態等を含むことは勿論である。従って、本発明の技術的範囲は上記の説明から妥当な特許請求の範囲に係る発明特定
事項によってのみ定められるものである。
【産業上の利用可能性】
【００４８】
本発明によれば、容易に小型化可能な撮像装置を提供することができるので、撮像装置分野に利用可能である。
【符号の説明】
【００４９】
１    デジタルカメラ
１０  筐体
２０  スライドカバー
３０  モニタ
４０  フレームプレート
５０  フレームアッセンブリ
５１，５２  第１及び第２鏡筒
５３  支持板
５４  樹脂フレーム
５５  プリント基板
１００ａ  第１フレキシブル基板
２００ａ  第１リジッドフレキシブル基板
１００ｂ  第２フレキシブル基板
２００ｂ  第２リジッドフレキシブル基板
２１０  フレキシブル部
２２０  リジッド部
２３０  電子回路部
【図１】
2013179574.tif 000003
【図２】
2013179574.tif 000004
【図３】
2013179574.tif 000005
【図４】
2013179574.tif 000006
【図５】
2013179574.tif 000007
【図６】
2013179574.tif 000008
【図７】
2013179574.tif 000009
【図８】
2013179574.tif 000010
【図９】
2013179574.tif 000011
【図１０】
2013179574.tif 000012